(57)【特許請求の範囲】
【請求項１】
給湯源から供給される湯と給水源から供給される水を混合して湯水を吐止水する湯水混合水栓装置であって、
略円筒形状の湯水混合水栓本体と、
前記湯水混合水栓本体の周囲を覆う本体カバーと、を備え、
前記湯水混合水栓本体あるいは前記本体カバーのうち一方に、係止突起を、
前記湯水混合水栓本体あるいは前記本体カバーのうち他方に、前記係止突起の前記湯水混合水栓本体の軸方向への移動をガイドする軸方向ガイド部と前記係止突起の前記軸方向ガイド部から円周方向への移動をガイドする円周方向ガイド部とを、それぞれ備え、
前記本体カバーを円周方向に回転させて前記係止突起を前記円周方向ガイド部に進入させた状態で、前記本体カバーが前記湯水混合水栓本体に軸方向へ移動できないように係止されていることを特徴とする湯水混合水栓装置。
【請求項２】
前記軸方向ガイド部が、軸方向に形成された軸方向溝であり、
前記円周方向ガイド部が、前記軸方向溝と略垂直な円周方向に形成された円周方向溝であることを特徴とする請求項１に記載の湯水混合水栓装置。
【請求項３】
前記本体カバーが前記係止突起を、前記湯水混合水栓本体が前記軸方向溝ならびに前記円周方向溝をそれぞれ有することを特徴とする請求項２に記載の湯水混合水栓装置。
【請求項４】
前記円周方向溝に、円周方向溝内部に隆起した抜け止め部を有することを特徴とする請求項２または３に記載の湯水混合水栓装置。
【請求項５】
前記係止突起が、前記円周方向ガイド部にガイドされる状態の少なくとも一部において、
前記本体カバーに対して、軸方向に伸長または圧縮する力が掛かることを特徴とする請
求項１〜４の何れか一項に記載の湯水混合水栓装置。
【請求項６】
前記湯水混合水栓本体の前記係止突起と接触する上端縁が、平らであることを特徴とする請求項１〜５の何れか一項に記載の湯水混合水栓装置。
【発明の詳細な説明】
【技術分野】
【０００１】
本発明は、湯水混合水栓装置に係り、特に、少なくとも一部を樹脂により形成する湯水混合水栓に関する。
【背景技術】
【０００２】
従来から、給湯源から供給される湯と給水源から供給される水を混合して湯水を吐止水する湯水混合水栓装置として、例えば、特許文献１に記載されているように、給湯源から供給される湯が通過する通湯路と給水源から供給される水が通過する通水路を内部に形成すると共に、これらの通湯路及び通水路のそれぞれを通過させて弁ユニットの混合室内で混合された湯水を吐水口に流出させる湯水混合路を内部に形成する通水路形成部材を備え、これらを本体カバーによって覆うことによって、湯水混合水栓装置を形成しているものが知られている。
【先行技術文献】
【特許文献】
【０００３】
【特許文献１】特開平８−３０２７７１号公報
【発明の概要】
【発明が解決しようとする課題】
【０００４】
上述した従来の湯水混合水栓装置に用いられている本体カバーにおいては、本体カバーの係止突起と台座に設けられた切欠部とが係合することにより、本体カバーが湯水混合水栓装置に係止されている。
しかしながら、本体カバーを形成する材料として、合成樹脂等の強度が比較的剛性が低い材料を採用した場合、本体カバーに拡径方向へ膨張させるような力が加わった場合に本体カバーが撓み、本体カバーが破損してしまうという問題がある。特に、本体カバーの表面に意匠性を高める為の金属めっきを施した場合においては、あるいは金属めっきがはがれてしまうという問題がある。
【０００５】
そこで、本発明は、上述した従来技術の問題を解決するためになされたものであり、本体カバーを合成樹脂等の剛性が比較的低い材料で形成した場合であっても、本体カバーの破損や金属めっきの剥れが抑制できる湯水混合水栓装置を提供することを目的としている。
【課題を解決するための手段】
【０００６】
上記の目的を達成するために、本発明は、給湯源から供給される湯と給水源から供給される水を混合して湯水を吐止水する湯水混合水栓装置であって、略円筒形状の湯水混合水栓本体と、前記湯水混合水栓本体の周囲を覆う本体カバーと、を備え、前記湯水混合水栓本体あるいは前記本体カバーのうち一方に、係止突起を、前記湯水混合水栓本体あるいは前記本体カバーのうち他方に、前記係止突起の前記湯水混合水栓本体の軸方向への移動をガイドする軸方向ガイド部と前記係止突起の前記軸方向ガイド部から円周方向への移動をガイドする円周方向ガイド部とを、それぞれ備え、前記本体カバーを円周方向に回転させて前記係止突起を前記円周方向ガイド部に進入させた状態で、前記本体カバーが前記湯水混合水栓本体に軸方向へ移動できないように係止されていることを特徴としている。
このように構成された本発明においては、本体カバーに拡径方向へ膨張させるような力をかけることなく軸方向への移動を規制して固定することが可能となる。これにより、拡径方向への力に起因する本体カバーの破損、金属めっきの剥離を抑制することが可能となる。
【０００７】
本発明において、好ましくは、更に、前記軸方向ガイド部が、軸方向に形成された軸方向溝であり、前記円周方向ガイド部が、前記軸方向溝と略垂直な円周方向に形成された円周方向溝である。
これにより、突起部をガイドする際に、挟み込むような形でガイドすることが可能となるため、本体カバーの組立が容易となる。
【０００８】
本発明において、好ましくは、更に、前記本体カバーが前記係止突起を、前記湯水混合水栓本体が前記軸方向溝ならびに前記円周方向溝をそれぞれ有する。
これにより、本体カバーに溝を設けた場合と比較して、本体カバーに薄肉部を形成する必要がないために強度を低下させることがなくなる。
【０００９】
本発明において、好ましくは、更に、前記円周方向溝に、円周方向溝内部に隆起した抜け止め部を有する。
このように構成された本発明においては、係止突起が円周方向溝へ進入する際に一時的
に隆起部を乗り越える必要がある。その際に、上述したような本体カバーを軸方向へ伸長
または圧縮する力が加わり、本体カバーの回転移動に抵抗が生じる。係止突起が隆起部を
乗り越えた後においては、本体カバーを軸方向へ伸長または圧縮する力が除去される。こ
れにより、本体カバーに常に力をかけることなく、本体カバーを固定することができる。
【００１０】
本発明において、好ましくは、更に、前記係止突起が、前記円周方向ガイド部にガイドされる状態の少なくとも一部において、前記本体カバーに対して、軸方向に伸長または圧縮する力が掛かる。
このように構成された本発明においては、本体カバーに伸長または圧縮する力をかけることにより、円周方向への本体カバーの回転移動に抵抗が生じ、使用段階において本体カバーが回転してしまい、外れてしまう恐れを低減できる。
【００１１】
本発明において、好ましくは、更に、前記湯水混合水栓本体の前記係止突起と接触する上端縁が、平らである。
このように構成された本発明においては、本体カバーを係止する際に、まず上端縁と係止突起を接触させ、その後周方向に回転することで簡単に突起係止を軸方向溝に誘導することが可能となり、組立が容易となる。
【発明の効果】
【００１２】
本発明の湯水混合水栓装置によれば、本体カバーを合成樹脂のような比較的剛性が低い材料で形成し、金属めっきを施した場合であっても、カバーの破損やめっき剥離を抑制できる。
【図面の簡単な説明】
【００１３】
【図１】本発明の一実施形態による湯水混合水栓装置を斜め前方から見た概略斜視図である。
【図２】本発明の一実施形態による湯水混合水栓装置を示す背面断面図である。
【図３】本発明の一実施形態による湯水混合水栓装置を示す側面断面図である。
【図４】本発明の一実施形態による湯水混合水栓装置を示す分解斜視図である。
【図５】本発明の一実施形態による湯水混合水栓装置の台座部材を示す斜視図である。
【図６】本発明の一実施形態による湯水混合水栓装置の通水路形成部材及びねじ部材を示す斜視図である。
【図７】図２のＶＩＩ−ＶＩＩ線に沿った断面図である。
【図８】本発明の一実施形態による湯水混合水栓装置の通水路形成部材及びナットホルダ部材を示す分解斜視図である。
【図９】本発明の一実施形態による湯水混合水栓装置のナットホルダ部材を示す平面図である。
【図１０】本発明の一実施形態による湯水混合水栓装置の湯水混合バルブユニット、円筒部材、押さえ部材及びビス部材を示す分解斜視図である。
【図１１】本発明の一実施形態による湯水混合水栓装置における本体カバーの係止方法を示した模式図である。
【発明を実施するための形態】
【００１４】
以下、添付図面を参照して本発明の一実施形態による湯水混合水栓装置について説明する。
まず、図１は、本発明の一実施形態による湯水混合水栓装置を斜め前方から見た概略斜視図である。
図１に示すように、本発明の一実施形態による湯水混合水栓装置１は、給湯源（図示せず）から供給される湯と給水源（図示せず）から供給される水を混合し、１つの操作ハンドル２を操作することにより湯水の流量と温度を調整した湯水をスパウト４の吐水口４ａから吐止水することができる、いわゆる、シングルレバー式の湯水混合水栓装置である。
【００１５】
すなわち、湯水混合水栓装置１は、台所のシンク又は洗面台のカウンター６上に配置され、操作ハンドル２を上方（図１に示されている矢印「開」の方向）に回動操作した場合には、スパウト４の吐水口４ａから吐出される湯水を吐水状態に設定することができるようになっており、操作ハンドル２をより上方に回動させた位置に設定する程、スパウト４の吐水口４ａから吐出される湯水の流量を大きく設定することができるようになっている。一方、操作ハンドル２を下方（図１に示されている矢印「閉」の方向）に回動操作した場合には、スパウト４の吐水口４ａから吐出される湯水を止水状態に設定することができるようになっている。
また、操作ハンドル２を図１に示されている右方向（図１に示されている矢印「Ｃ」の方向）に回動操作した場合には、スパウト４の吐水口４ａから吐出される湯水の温度を低温側に設定することができるようになっている。一方、操作ハンドル２を図１に示されている左方向（図１に示されている矢印「Ｈ」の方向）に回動操作した場合には、スパウト４の吐水口４ａから吐出される湯水の温度を高温側に設定することができるようになっている。
【００１６】
また、スパウト４は、その基端部に形成されて湯水混合水栓装置１の内部構造の一部（詳細は後述する台座部材８及び通水路形成部材１０の一部）の外周を取り囲むカバー部４ｂを備え、このカバー部４ｂは、湯水混合水栓装置１の鉛直方向に延びる中心軸線Ａを中心に図１に示されている右方向（図１に示されている矢印「Ｒ」の方向）及び図１に示されている左方向（図１に示されている矢印「Ｌ」の方向）に回動可能になっており、スパウト４の全体を湯水混合水栓装置１の中心軸線Ａを中心に旋回することができるようになっている。
【００１７】
つぎに、図２〜図１０により、本発明の一実施形態による湯水混合水栓装置の内部構造について説明する。
図２は本発明の一実施形態による湯水混合水栓装置を示す背面断面図であり、図３は本発明の一実施形態による湯水混合水栓装置を示す側面断面図であり、図４は本発明の一実施形態による湯水混合水栓装置を示す分解斜視図である。
図２〜図４に示すように、湯水混合水栓装置１は、カウンター６を上下方向に貫く取付穴６ａの上縁に密封して取り付けられるシール部材であるシートパッキン１２と、このシートパッキン１２の上面に取り付けられた金属製の台座部材８と、馬蹄形状の固定金具１４と、この固定金具１４に締結される締付金具１６と、台座部材８の上方に取り付けられる樹脂製の通水路形成部材１０と、この通水路形成部材１０を台座部材８上に固定する一対のねじ部材１８と、この通水路形成部材１０の上方に取り付けられる湯水混合バルブユニット２０と、この湯水混合バルブユニット２０の外周を取り囲む円筒部材２２と、この円筒部材２２の内側に取り付けられるほぼ円環状の押さえ部材２４と、この押さえ部材２４の３箇所に形成された取付孔２４ａのそれぞれに取り付けられるビス部材２６と、円筒部材２２の外周を取り囲む本体カバー２８とを備えている。この実施例において、通水路形成部材１０、湯水混合バルブユニット２０、円筒部材２２を併せて、本発明における湯水混合水栓本体とする。
【００１８】
つぎに、図５は、本発明の一実施形態による湯水混合水栓装置の台座部材を示す斜視図である。
図２〜図５に示すように、湯水混合水栓装置１の台座部材８は、カウンター６の取付穴６ａの表側（上側）に取り付けられたシートパッキン１２を介して常時カウンター６の上面よりも上側に位置し、カウンター６の取付穴６ａの上方を覆っている。また、台材部材８は、カウンター６の裏側（下側）から取り付けられた固定金具１４と共にカウンター６を挟み込んだ状態で締付金具１６を締め付けることにより、カウンター６上に固定されるようになっている。また、万一、樹脂製の通水路形成部材１０が破損して漏水した場合であっても、台座部材８とカウンター６の取付穴６ａとの間がシートパッキン１２により密封されているため、漏水をカウンター６上のみに留め、漏水がカウンターの取付穴から台座部材８の下方に漏出することを防ぐことができ、早期に漏水を発見しやすくすることができるようになっている。
【００１９】
さらに、図２〜図５に示すように、台座部材８においては、給湯源（図示せず）から延びる給湯ホース３０が接続され且つこの給湯ホース３０から供給される湯が通過する通湯孔８ａが形成されている。また、給水源（図示せず）から延びる給湯ホース３０が接続され且つ給水ホース３２から供給される水が通過する通水孔８ｂが形成されている。また、給湯ホース３０の接続部３０ａ及び給水ホース３２の接続部３２ａは、それぞれに対応する台座部材８の通湯孔８ａ及び通水孔８ｂに平パッキン３４を介して接続されている。
【００２０】
つぎに、図６は本発明の一実施形態による湯水混合水栓装置の通水路形成部材及びねじ部材を示す斜視図であり、図７は図２のＶＩＩ−ＶＩＩ線に沿った断面図であり、図８は本発明の一実施形態による湯水混合水栓装置の通水路形成部材及びナットホルダ部材を示す分解斜視図である。
図２〜図８に示すように、湯水混合水栓装置１の樹脂製の通水路形成部材１０は、台座部材８の上方に取り付けられた状態で台座部材８の通湯孔８ａ及び通水孔８ｂのそれぞれと連通する通湯路１０ａ及び通水路１０ｂを内部にそれぞれ形成すると共に、これらの通湯路１０ａ及び通水路１０ｂのそれぞれを通過させて湯水混合バルブユニット２０の湯水混合室２０ａ内で混合された湯水をスパウト４に流出させる湯水混合路１０ｃを内部に形成している。
【００２１】
また、図２〜図８に示すように、樹脂製の通水路形成部材１０には、上下方向に貫くように貫通孔１０ｄが形成されており、これらの貫通孔１０ｄのそれぞれにねじ部材１８を挿入し、台座部材８に形成された雌ねじ孔８ｃにねじ部材１８の下端部を螺合させることにより、通水路形成部材１０と台座部材８とを締結することができるようになっている。
【００２２】
また、図２〜図４に示すように、樹脂製の通水路形成部材１０と台座部材８とが接続された状態では、通水路形成部材１０の給湯路１０ａ及び給水路１０ｂとそれぞれに対応する台座部材８の通湯孔８ａ及び通水孔８ｂとの接続部は、Ｏリング３６が取り付けられて液密的にシールされている。
【００２３】
つぎに、図９は本発明の一実施形態による湯水混合水栓装置のナットホルダ部材を示す平面図であり、図１０は本発明の一実施形態による湯水混合水栓装置の湯水混合バルブユニット、円筒部材、押さえ部材及びビス部材を示す分解斜視図である。
図６〜図１０に示すように、通水路形成部材１０の外周には、樹脂製のナットホルダ部材３８が着脱可能に取り付けられている。このナットホルダ部材３８は、その一部に切欠き３８ａが形成されたほぼ円環形状であり、三箇所に金属製のナット４０が固定されている。
また、ナットホルダ部材３８は、通水路形成部材１０にナットホルダ部材３８を着脱する際、切欠き３８ａの水平方向の幅が伸縮するように弾性変形可能であり、ナットホルダ部材３８の全体について、樹脂製の通水路形成部材１０に対して着脱可能な弾性を保持しつつ、剛性を備えた材料で形成されている。なお、図９に示すナットホルダ部材３８においては、弾性変形前後のそれぞれの状態を実線及び破線でそれぞれ示している。
さらに、通水路形成部材１０の外周にナットホルダ部材３８が取り付けられた状態では、通水路形成部材１０の上面の三箇所から下方に延びるように形成された３つのビス取付孔１０ｅのそれぞれが、ナットホルダ部材３８のナット４０の取付孔４０ａのそれぞれと上下方向に対向して互いに一致するようになっている。
【００２４】
また、図２〜図１０に示すように、押さえ部材２４の取付孔２４ａに取り付けられたビス部材２６のそれぞれは、通水路形成部材１０の各ビス取付孔１０ｅを貫いてナットホルダ部材３８の各ナット４０に螺合されるようになっている。さらに、ビス部材２６が、樹脂製の通水路形成部材１０とは別部材であるナットホルダ部材３８の金属製のナット４０に締結されるため、ビス部材２６が樹脂製の通水路形成部材１０に直接的に締結される場合に比べて締結強度を高めることができるようになっている。また、ビス部材２６がナット４０に締結された状態では、押さえ部材２４が、円筒部材２２の内周側の中間部分よりも上方に形成されて内方に突出する保持部２２ａの上面に上方から押し付けられ、円筒部材２２が通水路形成部材１０に対して固定されるようになっている。
【００２５】
さらに、図２〜図９に示すように、ナットホルダ部材３８を通水路形成部材１０に取り付けた状態では、ナットホルダ部材３８の外周面が通水路形成部材１０の外周面（外径）よりも外側に突出し、このナットホルダ部材３８の外周部の下面がスパウト４のカバー部４ｂの上端に当接しており、スパウト４のカバー部４ｂの上下方向の移動が規制されるようになっている。
【００２６】
また、スパウト４のカバー部４ｂの内周面と通水路形成部材１０の外周面との間には、所定の隙間が形成され、この隙間により、スパウト４のカバー部４ｂが湯水混合水栓装置１の鉛直方向に延びる中心軸線Ａを中心に図１に示されている右方向（図１に示されている矢印「Ｒ」の方向）及び図１に示されている左方向（図１に示されている矢印「Ｌ」の方向）に回動可能になっている。さらに、スパウト４のカバー部４ｂの内周面と通水路形成部材１０の外周面との間の隙間により、万一、樹脂製の通水路形成部材１０が破損して通水路形成部材１０の外部に漏水が生じたとしても、この隙間がカウンター６上への漏水の抜け道となり、漏水がスパウト４のカバー部４ｂの下部からカウンター６上に流出し、早期に漏水を発見しやすくすることができるようになっている。
【００２７】
さらに、図２〜図１０に示すように、押さえ部材２４の中央穴２４ａの周縁は、円筒部材２２の保持部２２ａの内周縁よりも内側に突出しており、押さえ部材２４が湯水混合バルブユニット２０のケーシング部材４２の段部４２ａに当接し、湯水混合バルブユニット２０が通水路形成部材１０の上面に固定されるようになっている。
【００２８】
また、図２〜図４及び図１０に示すように、円筒部材２２の外周面の一部には、円筒部材２２の上端から下方に延びる軸方向ガイド部としての軸方向溝２２ｃと、その下端からほぼ水平方向に延びる円周方向ガイド部としての円周方向溝２２ｄが形成されている。
一方、本体カバー２８の内周面の一部には、円筒部材２２の軸方向溝２２ｃ及び円周方向溝２２ｄに進入可能な係止突起２８ａが形成されている。
【００２９】
図１１に本体カバー２８を取り付ける様子を示す。図１１ａに示すように、本体カバー２８は円筒部材２２の上方から取り付けられる。図１１ｂに示すように、円筒部材２２の上端縁が平坦であるため、本体カバー２８の係止突起２８ａをこの上端縁に接触させた状態で円周方向に回転させることにより、簡単に係止突起２８ａを軸方向溝２２ｃに対応する位置まで導くことができる。
【００３０】
次いで、図１１ｃに示すように係止突起２８ａを軸方向溝２２ｃに挿入することで、円筒部材２２を本体カバー２８で覆う。軸方向溝２２ｃに一定距離挿入したところで、図１１ｄに示すように本体カバー２８を円周方向に回転させることによって、係止突起２８ａを円周方向溝２２ｄに進入させる。このとき、図１１ｅに示すように、円周方向溝２２ｄの奥まで進入するためには隆起部２２ｅ（抜け止め部）を乗り越える必要がある。円筒部材２２の上端とこの隆起部２２ｅまでの距離が、本体カバー２８の内部上端から係止突起２８ａまでの距離より長く設定されているために、隆起部２８ｅを乗り越える際には本体カバー２８が伸長する方向の力が発生し、本体カバー２８を撓ませる必要がある。つまり、本体カバー２８を撓ませることができる程度の力をかけて回転させないと、係止突起２８ａは隆起部２２ｅを乗り越えて移動することができない。
【００３１】
最終的に図１１ｆに示すように、係止突起２８ａは円周方向溝２２ｄの最端部まで進入することで固定される。前述のように、係止突起２８ａが隆起部２８ｅを乗り越える為には一定以上の力が必要となる。つまり、本体カバー２８を取り外す為には、明確な意思をもって一定上の力で円周方向にカバーを回転させる必要がある。言い換えると、通常使用において本体カバー２８が外れてしまうことを抑制することが可能となる。
【００３２】
さらに、図２〜図４に示すように、本体カバー２８の上方の開口部２８ｂにおいては、湯水混合バルブユニット２０の可動弁体４４を操作する湯水混合バルブユニット２０の操作軸部材４６が上方に貫いた状態となっており、この操作軸部材４６に操作ハンドル２の軸受け部２ａが固定して取り付けられている。
【００３３】
つぎに、図２〜図４及び図１０に示すように、本実施形態の湯水混合水栓装置１に組み込まれている湯水混合バルブユニット２０の構造については、周知の湯水混合バルブユニットの構造と同様であるため、詳細な説明は省略するが、湯水混合バルブユニット２０は、ケーシング部材４２と、このケーシング部材４２の下端に固定されて固定弁体４８を下側から固定する固定弁体保持部材５０と、固定弁体４８と、この固定弁体４８の上部に摺動及び回転可能に配置された可動弁体４４と、この可動弁体４４の可動を操作する操作軸部材４６によって構成されている。
【００３４】
また、図２及び図３に示すように、固定弁体保持部材５０には、通水路形成部材１０の通湯路１０ａから供給される湯と通水路形成部材１０の通水路１０ｂから供給される水の各々が流入する通湯路５０ａ及び通水路５０ｂがそれぞれ形成されている。これらの通湯路５０ａ及び通水路５０ｂのそれぞれを通過した湯と水は、固定弁体４８及び可動弁体４４を介して通水路形成部材１０の通湯路１０ａ及び通水路１０ｂのそれぞれと湯水混合路１０ｃとを連通させる湯水混合室２０ａで混合され、この混合された湯水の流量と温度が調整されるようになっている。湯水混合室２０ａで調整された湯水は、固定弁体保持部材５０に形成されている湯水混合路５０ｃから通水路形成部材１０の湯水混合路１０ｃへ流出するようになっている。さらに、通水路形成部材１０の湯水混合路１０ｃ内の湯水は、スパウト４の流入口４ｃから吐水口４ａに向って流れるようになっている。
【００３５】
つぎに、上述した本発明の一実施形態による湯水混合水栓装置１の動作（作用）について説明する。
湯水混合水栓装置１を使用する際、図１に示すように、操作ハンドル２を矢印「開」の方向に引き上げ、必要に応じて、操作ハンドル２を矢印Ｈ又は矢印Ｃの方向に回動操作を行うと、通水路形成部材１０の通湯路１０ａ及び通水路１０ｂのそれぞれと湯水混合路１０ｃとが連通するように可動弁体４４が摺動及び又は回転移動し、通水路形成部材１０の通湯路１０ａ及び通水路１０ｂのそれぞれから湯と水が流出し、固定弁体保持部材５０の通湯路５０ａ及び通水路５０ｂを経て湯水混合室２０ａ内に流入する。そして、この湯水混合室２０ａ内で混合されて所定の流量で所定の温度に調整された湯水は、固定弁体保持部材５０の湯水混合路５０ｃを経て通水路形成部材１０の湯水混合路１０ｃからスパウト４の流入口４ｃに流入し、吐水口４ａから吐水される。
また、スパウト４の吐水口４ａの水平方向の位置を変更したい場合には、スパウト４のカバー部４ｂを湯水混合水栓装置１の中心軸線Ａを中心に図１に示されている右方向（図１に示されている矢印「Ｒ」の方向）又は図１に示されている左方向（図１に示されている矢印「Ｌ」の方向）に回動させ、スパウト４の全体を湯水混合水栓装置１の中心軸線Ａを中心に旋回させる。
【符号の説明】
【００３６】
１    湯水混合水栓装置
２    操作ハンドル
２ａ  軸受部
４    スパウト
４ａ  吐水口
４ｂ  カバー部（カバー部材）
４ｃ  流入口
６    カウンター
６ａ  カウンターの取付穴
８    台座部材
８ａ  通湯孔
８ｂ  通水孔
８ｃ  雌ねじ孔
８ｄ  台座中心部材
８ｅ  台座周辺部竿
８ｆ  給湯ホース貫通孔
８ｇ  給水ホース貫通孔
１０    通水路形成部材
１０ａ  通湯路
１０ｂ  通水路
１０ｃ  湯水混合路
１０ｄ  貫通孔
１０ｅ  ビス取付孔
１２    シートパッキン（シール部材）
１４    固定金具
１６    締付金具
１８    ねじ部材
２０    湯水混合バルブユニット
２０ａ  湯水混合室
２２    円筒部材
２２ａ  保持部
２２ｂ  保持部の内周縁
２２ｃ  軸方向溝（軸方向ガイド部）
２２ｄ  円周方向溝（円周方向ガイド部）
２４    押さえ部材
２４ａ  取付孔
２４ｂ  中央穴
２６    ビス部材
２８    本体カバー
２８ａ  係止突起
２８ｂ  開口部
３０    給湯ホース（給湯源）
３０ａ  接続部
３２    給水ホース（給水源）
３２ａ  接続部
３４、３５    平パッキン
３６、３７    Ｏリング
３８    ナットホルダ部材
３８ａ  切欠き
４０    ナット
４０ａ  取付孔
４２    ケーシング部材
４２ａ  段部
４４    可動弁体
４６    操作軸部材
４８    固定弁体
５０    固定弁体保持部材
５０ａ  通湯路
５０ｂ  通水路
５０ｃ  湯水混合路
【図１】
0005954689.tif 000002
【図２】
0005954689.tif 000003
【図３】
0005954689.tif 000004
【図４】
0005954689.tif 000005
【図５】
0005954689.tif 000006
【図６】
0005954689.tif 000007
【図７】
0005954689.tif 000008
【図８】
0005954689.tif 000009
【図９】
0005954689.tif 000010
【図１０】
0005954689.tif 000011
【図１１】
0005954689.tif 000012